(57)【要約】      （修正有）【課題】ダイニングボード、およびリビングボードの家具において注文品よりも安価に、従来の半注文品よりも自由度を高めたダイニングボード、およびリビングボードである装飾性の家具としての写真・絵柄をプリントした樹脂フイルム付き家具を提供する。【解決手段】部屋の環境にマッチできるように表面仕上げする対象面を選択できる家具であって、写真・絵柄をプリントした樹脂フイルム２を家具表面の３／４〜１／４に付けて、家具の表面を有する板状基材の化粧表面に形成される色彩・模様を自由に選択できるようにしている。【選択図】図１
0003203529.tif 000002
【実用新案登録請求の範囲】
【請求項１】
部屋の環境にマッチできるように表面仕上げする対象面を選択できる家具であって、写真・絵柄をプリントした樹脂フイルムを家具表面の面積に対して３／４〜１／４に貼り付けて、家具の表面を有する板状基材の化粧表面に形成される色彩・模様を自由に選択できるようにしていることを特徴とする写真・絵柄をプリントした樹脂フイルム付き家具
【請求項２】
家具に貼り付けている写真・絵柄をプリントした樹脂フイルムは、縦５０〜６００ｍｍ、横５０〜６００ｍｍの形状の樹脂製のシートであって、その平面シート形状が略矩形、略三角形、円形、又は四角形以上の略多角形のうちの少なくとも何れか一つであることを特徴とする請求項１に記載の写真・絵柄をプリントした樹脂フイルム付き家具。
【請求項３】
人物、自然風景の写真、及びアニメの絵柄などであって、それらの写真・絵柄と併せて、絵柄の色彩・模様で自由に選択を行うことによって、形状・模様に加えて、色彩の１〜５種類のパターンを持っているダイニングボード、およびリビングボードの家具の形状と併せて、貼り付ける写真と絵柄の色彩・模様で自由に選択を行うことによって、所望の形状と模様に色彩を持ったダイニングボード、およびリビングボードの家具を呈示、並びに選択できるようになっていることを特徴とする請求項１、又は請求項２に記載の写真・絵柄をプリントした樹脂フイルム付き家具。
【考案の詳細な説明】
【技術分野】
【０００１】本考案は、ダイニングボード、およびリビングボードの家具の表面等の、表面仕上げする対象面に模様、色彩を選択できるようになった写真をプリントした樹脂フイルムを取り付けて、色彩を自由に選択できるようになっている写真・絵柄をプリントした樹脂フイルム付き装飾家具に関するものである。
【背景技術】
【０００２】住宅での色彩選択において、細長い平板状の化粧板を用いた内装方法に係る技術は、表側の面の一部に粘着剤を塗布してなる粘着板を、下地の柱部材の表面に釘により打ち付けることにより各柱部材にそれぞれ取り付け、各粘着板の表側の面における粘着剤を塗布していない部分に接着剤を塗布したのち、複数枚の化粧板を各化粧板の突合せ部分が粘着板の表側の表面に位置するようにして連続的に固着するものである方法が提案されている（特許文献１参照）。【０００３】また住宅の壁の被装飾面に接着により取り付けて被装飾面を化粧する化粧材の施工技術は、互いに隣接配置される２枚の化粧材を、化粧材どうしの継ぎ目部分に、あらかじめ化粧材の裏側から継ぎ目部分を覆うように両面テープを貼り付けておき、さらに、化粧材の裏側に接着剤を塗布してから被装飾面に貼り付けるものである（特許文献２参照）。【０００４】キッチンパネルのレイアウト全体を所望のカラーパターンにデザインすることのできるキッチンパネル色コーディネートシステムを提供するために、ポインタをフロアユニットにおける一つの分割パネル区分に近づけて、ポインタと重なった分割パネル区分が分割区分枠で囲まれる。ユーザーはその場所でマウスをクリックし分割パネル区分を指定し、次にカラーサンプルから自分の好みに合った一つの色を選ぶ。色を決めると、ポインタがその色と重なった場所においてクリックすると、先ほど選択しておいた分割パネル区分の色が選んだ色へと変わるような操作を繰り返すことで、レイアウトを自分の好みに合ったデザインへと変更することが可能となる方法が提案されている（特許文献３参照）。【０００５】仮想商店街を立ち上げて、訪問者がパーソナルブランドに取り組みたくなるような商品展示をして、商品そのものの分かり易い立体的展示及びその製作手順の解説をし、さらに、デザイン、材料、加工ノウハウを提供し、顧客が創作に取り組む場合の色々な支援グループのネットワークを形成し、オリジナルな家具や皮革製品、日用品の創作の手助けができる物とサービスのサプライ・チェイン・マネジメントシステムを完成させる方法を提案されている（特許文献４参照）。【０００６】屋外または室内による背景、屋外または室内に存在するものによる点景、架空の物品、架空の生物、架空の地形、人体の全体、人体の部分、化粧品、衣服、アクセサリー、靴、鞄、帽子、メガネ、時計、傘、運動用具、乗り物、家具、家電、工具、文房具、炊事用具、家事用具、園芸用具からなる群から選択された事物のインターネットブラウザーで読み込み可能な画像ファイルと、服飾のデザイン画や写真のインターネットブラウザーで読み込み可能な画像ファイルと、これらの画像をインターネット用のブラウザーソフト上で制御することが可能な文書形式により書かれたファイルとを有し、各画像をマウスなどのポインティングデバイスにより適宜選択して、１枚の画像として、単数あるいは複数を、画面上に映し出し閲覧するファイル群にすることが提案されている（特許文献５参照）。【０００７】ダイニングボード、およびリビングボードの家具を色彩において自由に選択できるようになっている家具選択が可能になっているものは存在してない。
【先行技術文献】
【特許文献】
【０００８】
【特許文献１】特開平５−１４８９７４号公報
【特許文献２】特開２００５−２２０５２９号公報
【特許文献３】特開２０１１−２４８５５４号公報
【特許文献４】特開２００７−２６２８０号公報
【特許文献５】特開２００３−１３２１３１号公報
【考案の概要】
【考案が解決しようとする課題】
【０００９】ダイニングボード、およびリビングボードの家具において注文品よりも安価に、従来の半注文品よりも自由度を高めたダイニングボード、およびリビングボードである装飾性の家具を提供することを目的とする。【００１０】家具購入顧客が自分で家具の販売店に出向いて家具を購入する場合には，ユーザーは家具を設置する環境（具体的には自分の家の居間等の部屋）に実際に家具を設置した部屋内の状況を自身の記憶に頼って部屋内を想像しながら家具を選択するのが一般的である。しかし家具の表面を好みの写真にすることによって，上記環境と精神的安定感のとれた家具を購入することが期待されている。【００１１】そのため，顧客自身の好みの写真・絵柄を貼った写真・絵柄によってダイニングボード、およびリビングボードの家具を部屋に設置しても，その設置状況が購入時にユーザー自身で満足感がえられて，結果的に上記部屋と自身の調和のとれない家具を設置せざる得ない状況となってしまうことの問題がある。ダイニングボード、およびリビングボードの家具を購入する場合に家具の表面に一般の顧客にとっては室内の調和と気分によって模様と絵柄を選択する。【００１２】そこで，本考案は上記事情に鑑みてなされたものであり，その目的とするところは，ダイニングボード、およびリビングボードの家具を購入して部屋に設置する状況の好みの写真フイルムシートを貼った家具によって部屋の環境も簡単な操作で実現できる顧客対応できるダイニングボード、およびリビングボードの表面に写真・絵柄を貼った家具を提供することである。
【課題を解決するための手段】
【００１３】部屋の環境にマッチできるように表面仕上げする対象面を選択できる家具であって、写真・絵柄をプリントした樹脂フイルムを家具表面の３／４〜１／４に付けて、家具の表面を有する板状基材の化粧表面に形成される色彩・模様を自由に選択できるようにしていることを特徴とする写真・絵柄をプリントした樹脂フイルム付き家具【００１４】家具・絵柄に貼り付けている写真・絵柄をプリントした樹脂フイルムは、縦５０〜６００ｍｍ、横５０〜６００ｍｍの形状の樹脂製、又は紙製のシートであって、その平面シート形状が略矩形、略三角形、円形、又は四角形以上の略多角形のうちの少なくとも何れか一つである。【００１５】写真・絵柄は、人物、自然、風景、アニメ、などであって、それらの写真・絵柄と併せて、色彩・模様で自由に選択を行うことによって、形状・模様に加えて、色彩の１〜５種類のパターンを持っているダイニングボード、およびリビングボードの家具サイトに入って、それらの形状と併せて、色彩・模様で自由に選択を行うことによって、所望の形状と模様に色彩を持ったダイニングボード、およびリビングボードの家具を呈示、並びに選択できるようになっている。
【考案の効果】
【００１６】写真を貼ったダイニングボード、およびリビングボードの家具を、選択された家具部材を用いて構成されるダイニングボード、およびリビングボードの家具の画像が発注者の家具の情報選択手段にディスプレイされる。これによって、発注者が家具部材を選択する上で設置したイメージとおりの家具になり、家具を構成する家具部材を選択することが容易であるとともに、選択された家具と家具部材で構成されるダイニングボード、およびリビングボードの家具を画像で見て確認することができるため、発注者は確実に所望の写真野張ったダイニングボード、およびリビングボードの家具を提供することができる。【００１７】上述の方法でダイニングボード、およびリビングボードの家具を注文することで、多数の商品の展示も必要がなく、展示場をコンパクトにすることができて、営業、企画にかかる人件費、経費を削減することができる。顧客が選択した色彩、形状によって組み立てた後の段階で出荷するので、発注者が家具部材を選択する上で設置したイメージが家具になり、顧客が要望された自由な色彩、寸法のダイニングボード、およびリビングボードの家具を提供することができる。需要者が要望する形状、色彩の組み立てによって、全体的な人件費などの経費を削減することができた。
【図面の簡単な説明】
【００１８】
【図１】写真をプリントした樹脂フイルム（写真・絵柄シート）付き家具の斜視図である。Ａ：洋服箪笥  Ｂ：チェスト
【図２】写真をプリントした樹脂フイルム（写真・絵柄シート）の貼着の状態図である。
【図３】絵柄をプリントした樹脂フイルム（写真・絵柄シート）を貼着する前の前板を示す図である。
【図４】写真をプリントした樹脂フイルム（写真・絵柄シート）を使用した家具の配置斜視図である。
【図５】写真をプリントした樹脂フイルム（写真・絵柄シート）を使用したテレビボードの図である。
【考案を実施するための形態】
【００１９】以下、本考案の実施形態について、図面を参照して説明する。
図１は、写真をプリントした樹脂フイルム付き洋服箪笥の斜視図である。図２は写真をプリントした樹脂フイルムの状態図である。図３は絵柄をプリントした樹脂フイルムを示す図である。図４は写真をプリントした樹脂フイルムを使用したチェストの配置斜視図である。図５は写真をプリントした写真付樹脂フイルム付きテレビボードを示す概略斜視図である。
【実施例１】
【００２０】部屋の環境にマッチできるように表面仕上げする対象面を選択できるサイドボード家具であって、写真・絵柄をプリントした樹脂フイルムを家具表面の３／４に付けて、サイドボード家具の表面を有する板状基材の化粧表面に形成される色彩・模様を自由に選択できるようにしている。【００２１】サイドボード家具に貼り付けている写真をプリントした樹脂フイルムは、縦５００ｍｍ、横５００ｍｍの形状の樹脂製のシートであって、その平面シート形状が四角形で、人物の写真を樹脂プイルムにプリントで描かれたものであって、それらの写真のフイルムを自由に選択を行うことによってサイドボード家具の表面の模様に加えて、所望の人物写真を持ったリビングボードのサイドボード家具の表面によって部屋内を親近化で増した状態にした。
【実施例２】
【００２２】部屋の環境にマッチできるように表面仕上げする対象面を選択できるチェスト家具であって、写真・絵柄をプリントした樹脂フイルムを家具表面の２／４に付けて、家具の表面を有する板状基材の化粧表面に形成される色彩・模様を自由に選択できるようにしている。【００２３】家具に貼り付けている写真・絵柄をプリントした樹脂フイルムは、縦３００ｍｍ、横４００ｍｍの形状の樹脂製のシートであって、その平面シート形状が長方形で、人物の写真を樹脂プイルムにプリントで描かれたものであって、それらの写真のフイルムを自由に選択を行うことによってチェスト家具の表面の模様に加えて、所望の人物写真を持った食器棚の家具の表面によって部屋内を親近化で増した状態にした。
【実施例３】
【００２４】部屋の環境にマッチできるように表面仕上げする対象面を選択できる横６００ｍｍ、奥行き４５０ｍｍ、高さ１８００  ｍｍｍである図１に示すようなパイン製のガラス戸付き食器棚であって、この食器棚に貼りつけた写真をプリントした樹脂フイルム付き家具の表面を有する板状基材の化粧表面に形成される色彩・模様を５０種類のなから選択した写真を取り付けた。【００２５】食器棚に取り付けているは、縦５０ｍｍ、横５０ｍｍの形状の樹脂製のシートであって、その平面形状が略矩形であり、写真をプリントした樹脂フイルム付き家具の名称を記載してある。食器棚サイトに入って、形状、模様と色彩との５０種類のパターンを持っており、それらを自由に選択すると所望の写真の形状と模様に色彩を着けた食器棚を呈示できた食器棚であった。【００２６】食器棚発注者は、選択された食器棚部材を用いて構成される食器棚の画像が食器棚発注者の食器棚情報選択手段にディスプレイされる。これによって、食器棚及びその家具を構成する家具部材を選択することが容易になり、選択された食器棚で構成される画像で見て確認することができた。
【符号の説明】
【００２７】１、食器棚
２、写真・絵柄シート（プリントした樹脂フイルム）
３、表面
４、天板
５、側板
６、ＭＤＦ
７、合板
８、引き戸
９、引出
１０、テレビボード
１１、チェスト
１２、洋服箪笥
１３、紙
１４、カッテングシート
１５、テレビ
１６、テーブル
１７、貼着状態
【図１】
0003203529.tif 000003
【図２】
0003203529.tif 000004
【図３】
0003203529.tif 000005
【図４】
0003203529.tif 000006
【図５】
0003203529.tif 000007